【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
冷媒を流通させる冷媒通路を有し、互いに間隔をあけて配置される複数の冷媒管（４５）と、
前記複数の冷媒管と隣接する蓄冷材（５０）と、
前記冷媒通路にて発生する前記冷媒の過熱域（Ｓ、Ｓ１，Ｓ２）における前記冷媒管から前記蓄冷材への熱伝達を抑制する熱伝達抑制部（４７ｂ，４７１ｂ，１４７、１４７１，２４７，２４７１，３４７ｂ，４４７，５４７，１０４５，１１４７ｂ，１２４７，１３４７）と、
前記複数の冷媒管と隣接し、前記蓄冷材を収容する蓄冷材容器（４７，４７１，１４７，１４７１，２４７，２４７１，３４７，４４７，５４７，１１４７，１２４７，１３４７）と、
前記蓄冷材容器の内部において配置されるインナフィン（４７ｂ，４７１ｂ，３４７ｂ）と、を備え、
前記熱伝達抑制部は、前記インナフィンと前記蓄冷材容器との接合率又は前記蓄冷材容器と前記冷媒管との接合率が、前記過熱域に対応する部分と前記過熱域以外に対応する部分とで異なるように、構成されている、蓄冷熱交換器（４０，４０１，１４０，１４０１，２４０，２４０１，３４０，４４０，５４０，１０４０，１１４０，１２４０，１３４０，１４４０，１５４０，１６４０，１７４０，１８４０）。
【請求項２】
前記複数の蓄冷材容器のそれぞれは、前記冷媒管の延在方向を長手方向として前記複数の冷媒管のうちの２つの冷媒管の間に配置され、前記２つの冷媒管と接合され、
前記複数の蓄冷材容器のそれぞれと接合される前記２つの冷媒管における前記蓄冷材容器と反対側に、前記複数の冷媒管のうちの他の冷媒管との隙間に形成され、前記隙間を流れる空気と前記冷媒との間で熱交換する空気通路（５３）を備える、
請求項１に記載の蓄冷熱交換器。
【請求項３】
前記熱伝達抑制部（４７ｂ，４７１ｂ，１４７，１４７１，２４７，２４７１，３４７ｂ，４４７，５４７）は、前記冷媒通路の出口の近傍において前記冷媒の蒸発により発生する前記過熱域（Ｓ）における前記冷媒管から前記蓄冷材への熱伝達を抑制する、
請求項２に記載の蓄冷熱交換器（４０，４０１，１４０，１４０１，２４０，２４０１，３４０，４４０，５４０，１６４０，１８４０）。
【請求項４】
前記インナフィン（４７ｂ，４７１ｂ，３４７ｂ）は、
前記蓄冷材容器の内部において前記冷媒管の延在方向である長手方向に沿って延在するよう配置され、
前記過熱域が発生する前記冷媒管と接合される前記蓄冷材容器において、前記冷媒管の前記過熱域と接触する部分では、前記冷媒管から前記蓄冷材への前記インナフィンを介した伝熱量が相対的に小さく、前記冷媒管の前記過熱域以外と接触する部分では、前記冷媒管から前記蓄冷材への前記インナフィンを介した伝熱量が相対的に大きく、
前記熱伝達抑制部は前記インナフィンを含む、
請求項３に記載の蓄冷熱交換器（４０，４０１，３４０）。
【請求項５】
前記インナフィン（４７１ｂ）は、前記過熱域が発生する前記冷媒管と接合される前記蓄冷材容器において、前記冷媒管の前記過熱域と接触する部分では前記蓄冷材容器の内壁との接合率が相対的に低く、前記冷媒管の前記過熱域以外と接触する部分では前記蓄冷材容器の内壁との接合率が相対的に高い、
請求項４に記載の蓄冷熱交換器（４０１）。
【請求項６】
前記インナフィン（４７ｂ，３４７ｂ）は、前記過熱域が発生する前記冷媒管と接合される前記蓄冷材容器において、前記冷媒管の前記過熱域と接触する部分では前記蓄冷材容器の内壁と接合されず、前記冷媒管の前記過熱域以外と接触する部分では前記蓄冷材容器の内壁と接合される、
請求項４に記載の蓄冷熱交換器（４０，３４０）。
【請求項７】
前記複数の冷媒管は、前記空気通路の前記空気の流れ方向に沿って少なくとも２つの冷媒管が配置され、
前記蓄冷材容器は、前記空気の流れ方向に沿って配置される前記少なくとも２つの冷媒管と接合するよう形成され、
前記インナフィン（４７ｂ）は、前記冷媒管及び前記蓄冷材容器の配列方向から視るときに前記少なくとも２つの冷媒管と重畳するよう形成され、
前記インナフィンは、前記過熱域が発生する冷媒管を含む前記少なくとも２つの冷媒管と接合される前記蓄冷材容器において、前記冷媒管の前記過熱域と接触する部分を含み、
かつ、前記空気の流れ方向から視るときに、前記冷媒管の前記過熱域と接触する前記部分と重畳する領域では前記蓄冷材容器の内壁と接合されず、それ以外の領域では前記蓄冷材容器の内壁と接合される、
請求項６に記載の蓄冷熱交換器（４０）。
【請求項８】
前記複数の冷媒管は、前記空気通路の前記空気の流れ方向に沿って少なくとも２つの冷媒管が配置され、
前記蓄冷材容器は、前記空気の流れ方向に沿って配置される前記少なくとも２つの冷媒管と接合するよう形成され、
前記インナフィン（３４７ｂ）は、前記冷媒管及び前記蓄冷材容器の配列方向から視るときに前記少なくとも２つの冷媒管と重畳するよう形成され、
前記インナフィンは、前記過熱域が発生する冷媒管を含む前記少なくとも２つの冷媒管と接合される前記蓄冷材容器において、前記過熱域が発生しない冷媒管と重畳する領域では前記冷媒管の延在方向である前記長手方向の全域に亘って前記蓄冷材容器の内壁と接合され、前記過熱域が発生する冷媒管と重畳する領域では、前記冷媒管の前記過熱域と接触する部分では前記蓄冷材容器の内壁と接合されず、それ以外の部分では前記蓄冷材容器の内壁と接合される、
請求項６に記載の蓄冷熱交換器（３４０）。
【請求項９】
前記過熱域が発生する前記冷媒管と接合される前記蓄冷材容器（１４７，１４７１，４４７）は、前記冷媒管の前記過熱域と接触する部分では、前記冷媒管から前記蓄冷材容器を介しての前記蓄冷材への伝熱量が相対的に小さく、前記冷媒管の前記過熱域以外と接触する部分では、前記冷媒管から前記蓄冷材容器を介しての前記蓄冷材への伝熱量が相対的に大きく、
前記熱伝達抑制部は前記蓄冷材容器を含む、
請求項３〜８のいずれか１項に記載の蓄冷熱交換器（１４０，１４０１，４４０）。
【請求項１０】
前記過熱域が発生する前記冷媒管と接合される前記蓄冷材容器（１４７１）は、前記冷媒管の前記過熱域と接触する部分では前記冷媒管との接合率が相対的に低く、前記冷媒管の前記過熱域以外と接触する部分では前記冷媒管との接合率が相対的に高い、
請求項９に記載の蓄冷熱交換器（１４０１）。
【請求項１１】
前記過熱域が発生する前記冷媒管と接合される前記蓄冷材容器（１４７，４４７）は、
前記冷媒管の前記過熱域と接触する部分では前記冷媒管と接合されず前記冷媒管と間隔をあけて形成され、前記冷媒管の前記過熱域以外と接触する部分において前記冷媒管と接合される、
請求項９に記載の蓄冷熱交換器（１４０，４４０）。
【請求項１２】
前記複数の冷媒管は、前記空気通路の前記空気の流れ方向に沿って少なくとも２つの冷媒管が配置され、
前記蓄冷材容器は、前記空気の流れ方向に沿って配置される前記少なくとも２つの冷媒管と接合するよう形成され、
前記過熱域が発生する冷媒管を含む前記少なくとも２つの冷媒管と接合される前記蓄冷材容器（１４７）は、前記冷媒管の前記過熱域と接触する部分を含み、かつ、前記空気の流れ方向から視るときに、前記冷媒管の前記過熱域と接触する前記部分と重畳する領域では前記冷媒管と接合されず前記冷媒管と間隔をあけて形成され、それ以外の領域では前記冷媒管と接合される、
請求項１１に記載の蓄冷熱交換器（１４０）。
【請求項１３】
前記複数の冷媒管は、前記空気通路の前記空気の流れ方向に沿って少なくとも２つの冷媒管が配置され、
前記蓄冷材容器は、前記空気の流れ方向に沿って配置される前記少なくとも２つの冷媒管と接合するよう形成され、
前記過熱域が発生する冷媒管を含む前記少なくとも２つの冷媒管と接合される前記蓄冷材容器（４４７）は、前記過熱域が発生しない冷媒管と重畳する領域では前記延在方向の全域に亘って前記冷媒管と接合され、前記過熱域が発生する冷媒管と重畳する領域では、
前記冷媒管の前記過熱域と接触する部分では前記冷媒管と接合されず前記冷媒管と間隔をあけて形成され、それ以外の部分では前記冷媒管と接合される、
請求項１１に記載の蓄冷熱交換器（４４０）。
【請求項１４】
前記蓄冷材容器の内部において前記冷媒管の延在方向である前記長手方向に沿って延在するよう配置され、前記蓄冷材容器の内壁と接合されるインナフィンを備え、
前記過熱域が発生する前記冷媒管と接合される前記蓄冷材容器（２４７，２４７１，５４７）は、前記冷媒管の前記過熱域と接触する部分では、前記冷媒管から前記蓄冷材容器を介しての前記蓄冷材への伝熱量が相対的に小さく、前記冷媒管の前記過熱域以外と接触する部分では、前記冷媒管から前記蓄冷材容器を介しての前記蓄冷材への伝熱量が相対的に大きく、
前記熱伝達抑制部は前記蓄冷材容器を含む、
請求項３に記載の蓄冷熱交換器（２４０，２４０１，５４０）。
【請求項１５】
前記過熱域が発生する前記冷媒管と接合される前記蓄冷材容器（２４７１）は、前記冷媒管の前記過熱域と接触する部分では前記冷媒管との接合率が相対的に低く、前記冷媒管の前記過熱域以外と接触する部分では前記冷媒管との接合率が相対的に高い、
請求項１４に記載の蓄冷熱交換器（２４０１）。
【請求項１６】
前記過熱域が発生する前記冷媒管と接合される前記蓄冷材容器（２４７，５４７）は、
前記冷媒管の前記過熱域と接触する部分では前記冷媒管と接合されず前記冷媒管と間隔をあけて形成され、前記冷媒管の前記過熱域以外と接触する部分において前記冷媒管と接合される、
請求項１４に記載の蓄冷熱交換器（２４０，５４０）。
【請求項１７】
前記複数の冷媒管は、前記空気通路の前記空気の流れ方向に沿って少なくとも２つの冷媒管が配置され、
前記蓄冷材容器は、前記空気の流れ方向に沿って配置される前記少なくとも２つの冷媒管と接合するよう形成され、
前記インナフィンは、前記冷媒管及び前記蓄冷材容器の配列方向から視るときに前記少なくとも２つの冷媒管と重畳するよう形成され、
前記過熱域が発生する冷媒管を含む前記少なくとも２つの冷媒管と接合される前記蓄冷材容器（２４７）は、前記冷媒管の前記過熱域と接触する部分を含み、かつ、前記空気の流れ方向から視るときに、前記冷媒管の前記過熱域と接触する前記部分と重畳する領域では前記冷媒管と接合されず前記冷媒管と間隔をあけて形成され、それ以外の領域では前記冷媒管と接合される、
請求項１６に記載の蓄冷熱交換器（２４０）。
【請求項１８】
前記複数の冷媒管は、前記空気通路の前記空気の流れ方向に沿って少なくとも２つの冷媒管が配置され、
前記蓄冷材容器は、前記空気の流れ方向に沿って配置される前記少なくとも２つの冷媒管と接合するよう形成され、
前記インナフィンは、前記冷媒管及び前記蓄冷材容器の配列方向から視るときに前記少なくとも２つの冷媒管と重畳するよう形成され、
前記過熱域が発生する冷媒管を含む前記少なくとも２つの冷媒管と接合される前記蓄冷材容器（５４７）は、前記過熱域が発生しない冷媒管と重畳する領域では前記延在方向の全域に亘って前記冷媒管と接合され、前記過熱域が発生する冷媒管と重畳する領域では、
前記冷媒管の前記過熱域と接触する部分では前記冷媒管と接合されず前記冷媒管と間隔をあけて形成され、それ以外の部分では前記冷媒管と接合される、
請求項１６に記載の蓄冷熱交換器（５４０）。
【請求項１９】
前記過熱域（Ｓ）が発生する前記冷媒管と接合される前記蓄冷材容器は、前記冷媒管の前記過熱域と接触する部分には設けられず、前記冷媒管の前記過熱域以外と接触する部分のみに設けられる、請求項３〜１８のいずれか１項に記載の蓄冷熱交換器（１８４０）。
【請求項２０】
少なくとも前記過熱域（Ｓ）と接触する部分の前記蓄冷材は、他の部分と比較して相対的に融点の高い高融点蓄冷材（５０Ａ）である、
請求項１〜１８のいずれか１項に記載の蓄冷熱交換器（１６４０）。
【請求項２１】
前記複数の冷媒管の一端側が連通し、前記冷媒管及び前記蓄冷材容器の配列方向を長手方向とするよう形成される第１ヘッダタンク（５１）と、
前記複数の冷媒管の他端側が連通し、前記配列方向を長手方向とするよう形成される第２ヘッダタンク（５２）と、
を備え、
前記複数の冷媒管は、前記空気通路の前記空気の流れ方向に沿って一対となるように２列に配置されており、
前記第１ヘッダタンクの内部は、前記複数の冷媒管のうち前記空気の流れ方向の下流側に配置される冷媒管と連通され、前記冷媒管の延在方向である前記長手方向の一端部に前記冷媒通路の入口が設けられる入口側通路（１０４１）と、前記空気の流れ方向の上流側に配置される冷媒管と連通され、前記冷媒管の延在方向である前記長手方向の一端部または他端部に前記冷媒通路の出口が設けられる出口側通路（１０４３）とに区分され、
前記複数の冷媒管は、前記入口側通路と連通され、かつ、前記冷媒管の延在方向である前記長手方向の前記一端部側に配置される第１群（Ｇ１）と、前記入口側通路と連通され、かつ、前記冷媒管の延在方向である前記長手方向の前記他端部側に配置される第２群（Ｇ２）と、前記出口側通路と連通され、かつ、前記冷媒管の延在方向である前記長手方向の前記他端部側に配置される第３群（Ｇ３）と、前記出口側通路と連通され、かつ、前記冷媒管の延在方向である前記長手方向の前記一端部側に配置される第４群（Ｇ４）と、に区分され、
前記第２ヘッダタンクは、前記第１群と前記第３群とを連通し、前記第２群と前記第４群とを連通して、前記入口側通路から前記冷媒管の延在方向である前記長手方向の前記一端部側及び前記他端部側に導入された前記冷媒をそれぞれ前記他端部側及び前記一端部側に入れ替えて前記出口側通路に導出するよう構成され、
前記過熱域（Ｓ１）は、前記複数の冷媒管の前記第２群及び前記第４群において発生する過熱域であり、
前記熱伝達抑制部（１０４５，１１４７ｂ，１２４７，１３４７）は、前記過熱域が発生する前記第２群と、前記過熱域が発生しない前記第３群との両方に前記蓄冷材容器が接合される構造と、前記過熱域が発生しない前記第１群と、前記過熱域が発生する前記第４群との両方に前記蓄冷材容器が接合される構造と、を有する冷媒通路構造（１０４５）を含む、
請求項２に記載の蓄冷熱交換器（１０４０，１１４０，１２４０，１３４０，１４４０，１５４０）。
【請求項２２】
前記蓄冷材容器の内部において前記冷媒管の延在方向である前記長手方向に沿って延在
するよう配置されるインナフィン（１１４７ｂ）を備え、
前記インナフィンは、前記過熱域が発生する前記冷媒管の前記第２群及び前記第４群と前記蓄冷材容器とが接合する部分では、前記冷媒管から前記蓄冷材への前記インナフィンを介した伝熱量が相対的に小さく、前記過熱域が発生しない前記冷媒管の前記第１群及び前記第３群と前記蓄冷材容器とが接触する部分では、前記冷媒管から前記蓄冷材への前記インナフィンを介した伝熱量が相対的に大きく、
前記熱伝達抑制部は前記インナフィンを含む、
請求項２１に記載の蓄冷熱交換器（１１４０）。
【請求項２３】
前記インナフィンは、前記過熱域が発生する前記冷媒管の前記第２群及び前記第４群と前記蓄冷材容器とが接合する部分では前記蓄冷材容器の内壁との接合率が相対的に低く、
前記過熱域が発生しない前記冷媒管の前記第１群及び前記第３群と前記蓄冷材容器とが接触する部分では前記蓄冷材容器の内壁との接合率が相対的に高い、
請求項２２に記載の蓄冷熱交換器。
【請求項２４】
前記インナフィンは、前記過熱域が発生する前記冷媒管の前記第２群及び前記第４群と前記蓄冷材容器とが接合する部分では前記蓄冷材容器の内壁と接合されず、前記過熱域が発生しない前記冷媒管の前記第１群及び前記第３群と前記蓄冷材容器とが接触する部分では前記蓄冷材容器の内壁と接合される、
請求項２２に記載の蓄冷熱交換器。
【請求項２５】
前記蓄冷材容器（１２４７）は、前記過熱域が発生する前記冷媒管の前記第２群及び前記第４群と接触する部分では、前記冷媒管から前記蓄冷材容器を介しての前記蓄冷材への伝熱量が相対的に小さく、前記過熱域が発生しない前記冷媒管の前記第１群及び前記第３群と接触する部分では、前記冷媒管から前記蓄冷材容器を介しての前記蓄冷材への伝熱量が相対的に大きく、
前記熱伝達抑制部は前記蓄冷材容器を含む、
請求項２１〜２４のいずれか１項に記載の蓄冷熱交換器（１２４０）。
【請求項２６】
前記蓄冷材容器は、前記過熱域が発生する前記冷媒管の前記第２群及び前記第４群と接触する部分では前記冷媒管との接合率が相対的に低く、前記過熱域が発生しない前記冷媒管の前記第１群及び前記第３群と接触する部分では前記冷媒管との接合率が相対的に高い、
請求項２５に記載の蓄冷熱交換器。
【請求項２７】
前記蓄冷材容器は、前記過熱域が発生する前記冷媒管の前記第２群及び前記第４群と接触する部分では前記冷媒管と接合されず前記冷媒管と間隔をあけて形成され、前記過熱域が発生しない前記冷媒管の前記第１群及び前記第３群と接触する部分において前記冷媒管と接合される、
請求項２５に記載の蓄冷熱交換器。
【請求項２８】
前記蓄冷材容器の内部において前記冷媒管の延在方向である前記長手方向に沿って延在するよう配置され、前記蓄冷材容器の内壁と接合されるインナフィンを備え、
前記蓄冷材容器（１３４７）は、前記過熱域が発生する前記冷媒管の前記第２群及び前記第４群と接触する部分では、前記冷媒管から前記蓄冷材容器を介しての前記蓄冷材への伝熱量が相対的に小さく、前記過熱域が発生しない前記冷媒管の前記第１群及び前記第３群と接触する部分では、前記冷媒管から前記蓄冷材容器を介しての前記蓄冷材への伝熱量が相対的に大きく、
前記熱伝達抑制部は前記蓄冷材容器を含む、
請求項２１に記載の蓄冷熱交換器（１３４０）。
【請求項２９】
前記蓄冷材容器は、前記過熱域が発生する前記冷媒管の前記第２群及び前記第４群と接触する部分では前記冷媒管との接合率が相対的に低く、前記過熱域が発生しない前記冷媒管の前記第１群及び前記第３群と接触する部分では、前記冷媒管との接合率が相対的に高い、
請求項２８に記載の蓄冷熱交換器。
【請求項３０】
前記蓄冷材容器は、前記過熱域が発生する前記冷媒管の前記第２群及び前記第４群と接触する部分では前記冷媒管と接合されず前記冷媒管と間隔をあけて形成され、前記過熱域が発生しない前記冷媒管の前記第１群及び前記第３群と接触する部分において前記冷媒管と接合される、
請求項２８に記載の蓄冷熱交換器。
【請求項３１】
前記熱伝達抑制部として含まれる前記冷媒通路構造が、前記冷媒管の延在方向である前記長手方向に沿って複数設けられる、請求項２１〜３０のいずれか１項に記載の蓄冷熱交換器（１０４０Ｂ）。
【請求項３２】
少なくとも前記過熱域（Ｓ１）と接触する部分の前記蓄冷材は、他の部分と比較して相対的に融点の高い高融点蓄冷材（５０Ａ）である、
請求項２１〜３１のいずれか１項に記載の蓄冷熱交換器（１４４０，１５４０）。
【請求項３３】
前記過熱域は、前記複数の冷媒管の前記第３群のうち前記出口側通路側の近傍において発生する第２過熱域（Ｓ２）を含み、
前記複数の冷媒管のうち前記過熱域（Ｓ１）が発生する前記第２群及び第４群と接触する部分に前記高融点蓄冷材が配置され、前記第２過熱域（Ｓ２）が発生する前記第３群と接触する部分に前記高融点蓄冷材が配置される、
請求項３２に記載の蓄冷熱交換器（１４４０）。
【請求項３４】
前記過熱域は、前記複数の冷媒管の前記第３群のうち前記出口側通路側の近傍において発生する第２過熱域（Ｓ２）を含み、
前記複数の冷媒管のうち前記過熱域（Ｓ１）が発生する前記第２群及び前記第４群と接触する部分に前記高融点蓄冷材が配置され、
前記複数の冷媒管の前記第３群のうち前記第２過熱域（Ｓ２）が発生する前記出口側通路側の近傍に接触する部分に前記高融点蓄冷材が配置される、
請求項３２に記載の蓄冷熱交換器（１４４０）。
【請求項３５】
前記複数の冷媒管のうち前記過熱域（Ｓ１）が発生する前記第２群及び前記第４群と接触する部分に前記高融点蓄冷材が配置される、
請求項３２に記載の蓄冷熱交換器（１５４０）。
【請求項３６】
前記蓄冷材容器の内部に、前記冷媒管の延在方向である前記長手方向に沿って内部空間を区切る少なくとも一対の仕切り板（４７ｄ）が設けられ、前記一対の仕切り板の一方は、前記蓄冷材容器の長手方向の一方側の端部に間隙を有し、前記一対の仕切り板の他方は、前記蓄冷材容器の前記長手方向の他方側の端部に間隙を有する、
請求項１〜３５のいずれか１項に記載の蓄冷熱交換器（１７４０）。
【手続補正２】
【補正対象書類名】明細書
【補正対象項目名】０００７
【補正方法】変更
【補正の内容】
【０００７】
本開示に係る蓄冷熱交換器４０，４０１，１４０，１４０１，２４０，２４０１，３４０，４４０，５４０，１０４０，１１４０，１２４０，１３４０，１４４０，１５４０，１６４０，１７４０，１８４０）は、冷媒を流通させる冷媒通路を有し、互いに間隔をあけて配置される複数の冷媒管（４５）と、前記複数の冷媒管と隣接する蓄冷材（５０）と、前記冷媒通路にて発生する前記冷媒の過熱域（Ｓ、Ｓ１，Ｓ２）における前記冷媒管から前記蓄冷材への熱伝達を抑制する熱伝達抑制部（４７ｂ，４７１ｂ，１４７、１４７１，２４７，２４７１，３４７ｂ，４４７，５４７，１０４５，１１４７ｂ，１２４７，１３４７）と、複数の冷媒管と隣接し、蓄冷材を収容する蓄冷材容器（４７，４７１，１４７，１４７１，２４７，２４７１，３４７，４４７，５４７，１１４７，１２４７，１３４７）と、蓄冷材容器の内部において配置されるインナフィン（４７ｂ，４７１ｂ，３４７ｂ）と、を備え、熱伝達抑制部は、インナフィンと蓄冷材容器との接合率又は蓄冷材容器と冷媒管との接合率が、過熱域に対応する部分と過熱域以外に対応する部分とで異なるように、構成されている。